(57)【要約】【課題】離在席情報を適切に管理することを可能とする離在席管理システムを提供する。【解決手段】離在席管理システムは、利用者が操作して利用する利用者装置１と、利用者装置１の利用者に関する離在席情報を入力させて利用者の離在席を管理する離在席管理装置３と、利用者装置１毎に設けられ、携帯機１００が接続される携帯機充電装置２とを具備し、携帯機充電装置２と携帯機１００とが接続されている場合は、携帯機充電装置２に関連付けられた利用者装置１を利用者が操作可能にすると共に、その携帯機充電装置２の利用者が在席状態であることを示す離在席情報を離在席管理装置３へ入力し、携帯機充電装置２と携帯機１００とが接続されていない場合は、携帯機充電装置２に関連付けられた利用者装置１を利用者が操作不可能にすると共に、その携帯機充電装置２の利用者が離席状態であることを示す離在席情報を離在席管理装置３へ入力する。【選択図】図１
2010026711.tif 000002
【特許請求の範囲】
【請求項１】
施錠指示信号を受信して操作手段を施錠し、解錠指示信号を受信して前記操作手段を解錠し、前記操作手段の施錠又は解錠それぞれに対応して利用者が操作不可能に又は操作可能になる利用者装置と、
前記利用者装置の利用者に関する離在席情報を入力させて前記利用者の離在席を管理する離在席管理装置と、
前記利用者装置毎に設けられ、携帯機が接続され、接続されている前記携帯機を充電する携帯機充電装置と、
前記携帯機充電装置と前記利用者装置との関連付けを予め記憶する関連付けデータ記憶手段と、
前記携帯機と前記携帯機充電装置との接続を検出する接続検出手段と、
前記携帯機充電装置と前記携帯機との接続が検出される場合は、ネットワークを介して、当該携帯機充電装置に関連付けられた前記利用者装置へ前記解錠指示信号を送信すると共に、前記携帯機充電装置と前記携帯機との接続が検出されない場合は、ネットワークを介して、当該携帯機充電装置に関連付けられた前記利用者装置へ前記施錠指示信号を送信する操作手段施錠解錠要求手段と、
前記携帯機充電装置と前記携帯機との接続が検出される場合は、ネットワークを介して、当該携帯機充電装置に関連付けられた前記利用者装置の利用者が在席状態であることを示す前記離在席情報を前記離在席管理装置へ入力すると共に、前記携帯機充電装置と前記携帯機との接続が検出されない場合は、ネットワークを介して、当該携帯機充電装置に関連付けられた前記利用者装置の利用者が離席状態であることを示す前記離在席情報を前記離在席管理装置へ入力する離在席情報入力手段と、
を有する離在席管理システム。
【請求項２】
前記利用者装置の電源オフを検出する電源オフ検出手段と、
前記利用者装置の電源オフが検出され、かつ、当該利用者装置に関連付けられた前記携帯機充電装置と前記携帯機との接続が検出されない場合は、当該利用者装置の利用者が離席状態であることを表す前記離在席情報を前記離在席管理装置へネットワークを介して入力する電源オフ時離席情報入力手段と、
を更に有する請求項１に記載の離在席管理システム。
【請求項３】
前記利用者装置は、当該利用者装置の利用者に関する前記離在席情報を表示するように構成されている請求項１又は２に記載の離在席管理システム。
【請求項４】
施錠指示信号を受信して操作手段を施錠し、解錠指示信号を受信して前記操作手段を解錠し、前記操作手段の施錠又は解錠それぞれに対応して利用者が操作不可能に又は操作可能になる利用者装置と、前記利用者装置の利用者に関する離在席情報を入力させて前記利用者の離在席状況を管理する離在席管理装置と、前記利用者装置と前記離在席管理装置とを通信可能に接続する通信手段とを有する離在席管理システムにおいて、携帯機が接続され、接続されている前記携帯機を充電する携帯機充電装置であって、
前記携帯機の接続を検出する接続検出手段と、
前記携帯機充電装置に関連付けられた前記利用者装置である関連装置を示すデータを予め記憶する関連付けデータ記憶手段と、
前記関連装置と通信する関連通信手段と、
前記携帯機の接続が検出される場合は、前記解錠指示信号を前記関連装置へ送信すると共に、前記関連装置の利用者が在席状態であることを表す前記離在席情報を前記関連装置から前記離在席管理装置へ入力させ、前記携帯機の接続が検出されない場合は、前記施錠指示信号を前記関連装置へ送信すると共に、前記関連装置の利用者が離席状態であることを表す前記離在席情報を前記関連装置から前記離在席管理装置へ入力させる制御手段と、
を有する携帯機充電装置。
【請求項５】
前記関連装置の電源オフを検出する電源オフ検出手段と、
前記離在席管理装置と通信する管理通信手段とを有し、
前記制御手段は、前記関連装置の電源オフが検出され、かつ、前記携帯機の接続が検出されない場合は、前記関連装置の利用者が離席状態であることを表す前記離在席情報を前記離在席管理装置へ前記管理通信手段を介して入力する請求項４に記載の携帯機充電装置。
【発明の詳細な説明】
【技術分野】
【０００１】
本発明は、パソコン等の利用者装置を利用する利用者の在席および離席を管理するための携帯機充電装置、離在席管理システムに関する。
【背景技術】
【０００２】
従来、パソコン等の情報処理装置としての利用者装置が設置された社内において、携帯電話や携帯情報端末（ＰＤＡ）等の携帯機を充電装置に置くことで様々な情報を得るシステムが提案されている。
【０００３】
例えば特許文献１には、携帯電話機が充電装置に置かれると、それをパソコンが検知し、パソコンがサーバから最新の情報を自動取得するシステムが開示されている。
【０００４】
【特許文献１】特開２００２−７７４３５号公報
【発明の開示】
【発明が解決しようとする課題】
【０００５】
ところで、従来から会社等の使用者にとって、その従業員の勤怠を管理する要請があり、社内には従業者（利用者）が業務上利用するパソコン等の利用者装置が設置されていることから、その利用者装置を用いて在席または離席に関する離在席情報を従業者に入力させて、従業者に関する離在席情報ひいてはこれを用いた勤怠情報を管理する管理システムが利用されている。しかしながら、このような管理システムは、管理対象者である従業者が離在席情報を管理システムに入力しなければならず、入力忘れによる管理情報の不備が生じ、離在席情報を適切に管理することができない。また、利用者装置を用いて離在席情報を管理システムに入力する作業は煩わしいものである。
【０００６】
そこで、本発明に係る発明者は、上記のような管理システムにおいて離在席情報を入力する煩わしさを解消するために、携帯機を充電装置に載置する動作又は携帯機を充電装置から外す動作に応じて離在席情報を管理システムに入力するように構成した管理システムを発明した。しかしながら、携帯機を充電装置に置くことを忘れると離在席情報が管理システムに入力されず、管理情報の不備が生じ、離在席情報を適切に管理することが難しい。
【０００７】
また、利用者が利用者装置を稼働状態にしたまま離席した場合には、その利用者装置が不意に操作される等セキュリティーの観点から好ましくない事態が生じうる。
【０００８】
なお、利用者が携帯する携帯機、特に業務上支給された携帯電話は首からぶら下げる等して常に肌身離さす携帯することを会社から要求されていることが多い。
【０００９】
本発明の目的は、離在席情報の入力し忘れを防止し、離在席情報を適切に管理することを可能とする離在席管理システムを提供することである。
【課題を解決するための手段及び効果】
【００１０】
上記目的を達成するため、本発明の一構成に係る離在席管理システムは、施錠指示信号を受信して操作手段を施錠し、解錠指示信号を受信して前記操作手段を解錠し、前記操作手段の施錠又は解錠それぞれに対応して利用者が操作不可能に又は操作可能になる利用者装置と、前記利用者装置の利用者に関する離在席情報を入力させて前記利用者の離在席を管理する離在席管理装置と、前記利用者装置毎に設けられ、携帯機が接続され、接続されている前記携帯機を充電する携帯機充電装置と、前記携帯機充電装置と前記利用者装置との関連付けを予め記憶する関連付けデータ記憶手段と、前記携帯機と前記携帯機充電装置との接続を検出する接続検出手段と、前記携帯機充電装置と前記携帯機との接続が検出される場合は、ネットワークを介して、当該携帯機充電装置に関連付けられた前記利用者装置へ前記解錠指示信号を送信すると共に、前記携帯機充電装置と前記携帯機との接続が検出されない場合は、ネットワークを介して、当該携帯機充電装置に関連付けられた前記利用者装置へ前記施錠指示信号を送信する操作手段施錠解錠要求手段と、前記携帯機充電装置と前記携帯機との接続が検出される場合は、ネットワークを介して、当該携帯機充電装置に関連付けられた前記利用者装置の利用者が在席状態であることを示す前記離在席情報を前記離在席管理装置へ入力すると共に、前記携帯機充電装置と前記携帯機との接続が検出されない場合は、ネットワークを介して、当該携帯機充電装置に関連付けられた前記利用者装置の利用者が離席状態であることを示す前記離在席情報を前記離在席管理装置へ入力する離在席情報入力手段と、を有する構成である。
【００１１】
このような構成によれば、利用者が利用者装置を操作するためには、その利用者装置に関連付けられた携帯機充電装置に携帯機を接続して操作手段を解錠する必要があり、離席のためには、携帯機と携帯機充電装置との接続を外す必要があり、携帯機と携帯機充電装置との接続の有無に応じて利用者の離在席情報が離在席管理装置に適切に入力されるため、利用者に関する離在席情報の入力し忘れにより生ずる離在席情報の不備を回避し、離在席管理を適切に行うことができる。また、携帯機と携帯機充電装置との接続を外すことにより操作手段が施錠されるから、離席中の利用者装置が不意に操作されることを防止でき、利用者装置のセキュリティーを向上させることができる。
【００１２】
利用者の離在席情報が離在席管理装置に適切に入力されない状況を防止して離在席管理を確実に行うためには、前記利用者装置の電源オフを検出する電源オフ検出手段と、前記利用者装置の電源オフが検出され、かつ、当該利用者装置に関連付けられた前記携帯機充電装置と前記携帯機との接続が検出されない場合は、当該利用者装置の利用者が離席状態であることを表す前記離在席情報を前記離在席管理装置へネットワークを介して入力する電源オフ時離席情報入力手段と、を有する構成が望ましい。
【００１３】
離在席情報が正しく維持されているかを確認できて離在席管理をより適切に行うためには、前記利用者装置は、当該利用者装置の利用者に関する前記離在席情報を表示するように構成されているのが有効である。
【００１４】
一般に多大なコストを要する離在席管理装置の設計変更を回避して適用コストを抑えるためには、携帯機充電装置は、施錠指示信号を受信して操作手段を施錠し、解錠指示信号を受信して前記操作手段を解錠し、前記操作手段の施錠又は解錠それぞれに対応して利用者が操作不可能に又は操作可能になる利用者装置と、前記利用者装置の利用者に関する離在席情報を入力させて前記利用者の離在席状況を管理する離在席管理装置と、前記利用者装置と前記離在席管理装置とを通信可能に接続する通信手段とを有する離在席管理システムにおいて、携帯機が接続され、接続されている前記携帯機を充電する携帯機充電装置であって、前記携帯機の接続を検出する接続検出手段と、前記携帯機充電装置に関連付けられた前記利用者装置である関連装置を示すデータを予め記憶する関連付けデータ記憶手段と、前記関連装置と通信する関連通信手段と、前記携帯機の接続が検出される場合は、前記解錠指示信号を前記関連装置へ送信すると共に、前記関連装置の利用者が在席状態であることを表す前記離在席情報を前記関連装置から前記離在席管理装置へ入力させ、前記携帯機の接続が検出されない場合は、前記施錠指示信号を前記関連装置へ送信すると共に、前記関連装置の利用者が離席状態であることを表す前記離在席情報を前記関連装置から前記離在席管理装置へ入力させる制御手段と、を有する構成が望ましい。
【００１５】
本発明に係る携帯機充電装置の具体的な一構成としては、前記関連装置の電源オフを検出する電源オフ検出手段と、前記離在席管理装置と通信する管理通信手段とを有し、前記制御手段は、前記関連装置の電源オフが検出され、かつ、前記携帯機の接続が検出されない場合は、前記関連装置の利用者が離席状態であることを表す前記離在席情報を前記離在席管理装置へ前記管理通信手段を介して入力する構成が挙げられる。
【発明を実施するための最良の形態】
【００１６】
本発明に係る携帯機充電装置および離在席管理システムの一実施形態を図を参照して説明する。
【００１７】
（離在席管理システム１０の構成概要および動作）
離在席管理システム１０は、図１に示すように、操作手段１８を有するパーソナルコンピュータ等の利用者装置１と、利用者装置１毎に設けられ、携帯機１００が接続され、接続されている携帯機１００を充電する携帯機充電装置２と、利用者装置１の利用者に関する離在席情報を入力させて利用者の離在席を管理する離在席管理装置３と、利用者装置１と携帯機充電装置２と離在席管理装置３とを通信可能に接続するネットワーク４とを有している。
【００１８】
利用者装置１は、ディスプレイ１７と操作手段１８とを具備し、利用者装置１の利用者に関する離在席情報を表す離在席情報画像５１・５３をディスプレイ１７に表示するように構成されている。
【００１９】
携帯機充電装置２は、携帯機充電装置２と利用者装置１との関連付けを予め記憶する関連付けデータ記憶手段と、携帯機１００と携帯機充電装置２との接続を検出する接続検出手段と、利用者装置１の電源オフを検出する電源オフ検出手段とを有している。また、携帯機充電装置２は、少なくとも、操作手段施錠解錠要求手段、離在席情報入力手段、および電源オフ時離席情報入力手段として機能する。
【００２０】
離在席管理装置３は、利用者装置１の利用者の離在席情報が記憶されている離在席データベース３５を有している。
【００２１】
このような構成において、離在席管理システム１０は以下のように動作する。すなわち、図１に示すように、携帯機充電装置２と携帯機１００とが接続された場合は、接続検出手段が携帯機充電装置２と携帯機１００との接続を検出する。操作手段施錠解錠要求手段として機能する携帯機充電装置２は、当該接続が検出されたことを以て、ネットワーク４を介して、携帯機充電装置２に関連付けられた利用者装置１へ操作手段１８を解錠する解錠指示信号を送信する。解錠指示信号を受信した利用者装置１は、操作手段１８を解錠して操作可能にし、ディスプレイ１７に利用者が在席中であることを示す離在席情報画像５３を表示すると共に、利用者が在席状態であることを示す離在席情報を離在席管理装置３に送信する。離在席情報を受信した離在席管理装置３は、離在席データベース３５に記憶される利用者の離在席情報を在席中に更新する。
【００２２】
一方、携帯機充電装置２と携帯機１００との接続が外された場合は、接続検出手段が携帯機充電装置２と携帯機１００との接続を検出できない。操作手段施錠解錠要求手段として機能する携帯機充電装置２は、当該接続が検出されないことを以て、ネットワーク４を介して、携帯機充電装置２に関連付けられた利用者装置１へ操作手段１８を施錠する施錠指示信号を送信する。施錠指示信号を受信した利用者装置１は、操作手段１８を施錠して操作不可能にし、ディスプレイ１７に利用者が離席中であることを示す離在席情報画像５１を表示すると共に、利用者が離席状態であることを示す離在席情報を離在席管理装置３に送信する。離在席情報を受信した離在席管理装置３は、離在席データベース３５に記憶される利用者の離在席情報を離席中に更新する。
【００２３】
このような構成によれば、利用者が利用者装置１を操作するためには、その利用者装置１に関連付けられた携帯機充電装置２に携帯機１００を接続して操作手段１８を解錠する必要があり、離席のためには、携帯機１００と携帯機充電装置２との接続を外す必要があり、携帯機１００と携帯機充電装置２との接続の有無に応じて利用者の離在席情報が離在席管理装置３に適切に入力されるため、利用者に関する離在席情報の入力し忘れにより生ずる離在席情報の不備を回避し、離在席管理を適切に行うことができる。
【００２４】
さらに、携帯機１００と携帯機充電装置２との接続を外すことにより操作手段１８が施錠されるから、離席中の利用者装置１が不意に操作されることを防止でき、利用者装置１のセキュリティーを向上させることができる。
【００２５】
さらに、利用者装置１の利用者に関する離在席情報が利用者装置１に表示されるため、携帯機１００を携帯機充電装置２に接続させ又は非接続にしたことにより、離在席情報が正しく維持されているかを確認することができるため、離在席情報の不備を回避し、離在席管理をより適切に行うことができる。
【００２６】
上記の構成において、離在席管理システム１０のさらに別の動作について説明する。すなわち、図２に示すように、利用者装置１の電源がオフにされており、携帯機充電装置２と携帯機１００との接続が外された場合は、接続検出手段が携帯機充電装置２と携帯機１００との接続を検出できず、電源オフ検出手段が利用者装置１の電源オフを検出する。電源オフ時離席情報入力手段として機能する携帯機充電装置２は、当該接続が検出されないこと及び当該利用者装置１の電源オフが検出されたことを以て、ネットワーク４を介して、利用者が離席状態であることを示す離在席情報を離在席管理装置３に送信する。離在席情報を受信した離在席管理装置３は、離在席データベース３５に記憶される利用者の離在席情報を離席中に更新する。
【００２７】
このような構成によれば、利用者装置１の電源がオフにされ、携帯機１００と携帯機充電装置２との接続が外されている場合において利用者の離在席情報が離在席管理装置３に適切に入力されない状況、例えば、携帯機１００と携帯機充電装置２とを接続したまま、利用者装置１の電源をオフすることにより離在席管理装置３へ離席状態であることを表す離在席情報が入力されなかったことにより生ずる離在席管理の不備を回避し、離在席管理を確実に行うことができる。
【００２８】
以上、離在席管理システム１０の構成概要およびその動作について説明したが、これらを実現する具体的構成を以下説明する。
【００２９】
（離在席管理システム１０の構成）
離在席管理システム１０は、図１および図４に示すように、利用者装置１（１ａ、１ｂ）と、携帯機充電装置２（２ａ、２ｂ）と、離在席管理装置３と、ネットワーク４とを有している。
【００３０】
利用者装置１は、利用者毎に設けられているパーソナルコンピュータであり、業務情報等の画像を表示するディスプレイ１７と、利用者装置１を操作するために用いるキーボードおよびマウス等の操作手段１８と、携帯機充電装置２および離在席管理装置３とTCP/IPプロトコルを用いて無線で通信する通信部１４とを有している。利用者装置１と利用者とは、例えば、利用者装置１ａが利用者Ａさんに、利用者装置１ｂが利用者Ｂさんに関連付けられているように、利用者装置１と利用者とは関連付けられて利用されている。利用者は、操作手段１８を操作してディスプレイ１７に表示された情報を視認して利用者装置１を使用しつつ業務を行う。利用者装置１は、通信部１４を介して外部から施錠指示指示信号を受信すると、操作手段１８を施錠する。また利用者装置１は、通信部１４を介して解錠指示信号を受信すると、操作手段１８を解錠する。
【００３１】
ここで『操作手段を施錠する』とは、キーボードおよびマウス等の操作手段１８の機能を無効化することによって利用者が操作不可能になることをいい、また『操作手段を解錠する』とは、操作手段が施錠されている場合において、操作手段１８の機能を有効化することによって利用者が操作可能になることをいう。また、施錠指示信号は、操作手段を施錠することを指示する信号であり、解錠指示信号は、操作手段を解錠することを指示する信号である。
【００３２】
また利用者装置１は、図４に示すように、さらにＣＰＵ１１と、ＣＰＵ１１に接続されているＲＯＭ１２と、ＣＰＵ１１に接続されているＲＡＭ１３と、ＣＰＵ１１に接続されている画像制御回路１５と、インターフェイス１６とを有している。ＣＰＵ１１は、利用者装置１の動作を制御する。ＲＯＭ１２は、後述する利用者装置処理ルーチンおよび離在席管理装置３の所在を示すデータを記憶する。ＲＡＭ１３は、プログラムおよびプラグラムに用いるデータを一時的に記憶する。画像制御回路１５は、ディスプレイ１７の表示を制御する。インターフェイス１６は、操作手段１８とＣＰＵ１１との信号を中継する。利用者装置１は、ＣＰＵ１１が上記ＲＯＭ１２に記憶された各ルーチンを実行することにより、少なくとも、利用者装置１の利用者に関する離在席情報を表示する機能等を実現する。
【００３３】
携帯機充電装置２は、携帯機１００と電気的に接続する接続部２７と、この接続部２７と携帯機１００との接続を検出する接続検出手段としての接続検出部２６と、接続部２７に接続された携帯機１００を充電する充電手段２８と、利用者装置１および離在席管理装置３とTCP/IPプロトコルを用いて無線で通信する通信部２４と、関連付けデータ記憶部２５とを有している。
【００３４】
携帯機充電装置２と利用者装置１とは、例えば、携帯機充電装置２ａが利用者装置１ａに、携帯機充電装置２ｂが利用者装置１ｂに関連付けられているように、携帯機充電装置２と利用者装置１とは関連付けられている。各携帯機充電装置２の関連付けデータ記憶部２５には、いずれの携帯機充電装置２に関連付けられているかを示すデータが予め記憶されている。関連付けデータ記憶部２５は、図５に示すように、関連付けデータをテーブル形式で記憶しており、そのテーブルは、データ種別欄と、データ欄とを有し、例えば、データ種別欄が「関連付け利用者装置IP」でありデータ欄が「192.168.0.100」であるレコードと、データ種別欄が「離在席管理装置IP」でありデータ欄が「192.168.0.200」であるレコードとを記憶している。データ種別欄が「関連付け利用者装置IP」であるレコードは、その携帯機充電装置２に関連付けられた利用者装置１の所在を示すデータであり、そのIPアドレスが「192.168.0.100」であることを示している。これにより、関連付けられた利用者装置１が明らかであるから、携帯機充電装置２がその利用者装置１と通信をすることが可能となる。また、データ種別欄が「離在席管理装置IP」であるレコードは、離在席情報を管理する離在席管理装置３の所在を示すデータであり、そのIPアドレスが「192.168.0.200」であることを示している。これにより、離在席管理装置３の所在が明らかであるから、携帯機充電装置２がその離在席管理装置３と通信をすることが可能となる。このように、関連付けデータ記憶部２５は、少なくとも、関連付けデータ記憶手段等として機能し、通信部２４は、少なくとも、関連付けられた利用者装置１と通信する関連通信手段、離在席管理装置３と通信する管理通信手段、利用者装置１からの応答の有無によりその利用者装置１の電源オフを検出する電源オフ検出手段等として機能する。
【００３５】
また携帯機充電装置２は、図４に示すように、さらにＣＰＵ２１と、ＣＰＵ２１に接続されているＲＯＭ２２と、ＣＰＵ２１に接続されているＲＡＭ２３とを有している。ＣＰＵ２１は、携帯機充電装置２の動作を制御する。ＲＯＭ２２は、後述する携帯機充電装置処理ルーチン、操作手段施錠解錠要求処理ルーチン、離在席情報入力処理ルーチン、および電源オフ時離在席情報入力処理ルーチンを記憶している。ＲＡＭ２３は、プログラムおよびプログラムに用いるデータを一時的に記憶する。携帯機充電装置２は、ＲＯＭ２２に記憶されている各ルーチンをＣＰＵ２１が実行することにより、少なくとも、操作手段施錠解錠要求手段、離在席情報入力手段、電源オフ時離席情報入力手段、制御手段等の機能を実現するものである。
【００３６】
離在席管理装置３は、離在席管理装置３の動作を制御するＣＰＵ３１と、後述する離在席管理装置処理ルーチンを記憶しているＲＯＭ３２と、プログラムおよびプログラムに用いるデータを一時的に記憶するＲＡＭ３３と、利用者装置１および携帯機充電装置２とTCP/IPプロトコルを用いて通信する通信部３４と、利用者の離在席情報を記憶する離在席データベース３５とを有している。離在席管理装置３は、利用者装置１または携帯機充電装置２から離在席情報信号を受信して、その離在席情報信号が示す離在席情報を離在席データベース３５に記憶することによって、利用者の離在席情報を管理している。離在席情報には、利用者および利用者装置の少なくとも１つと、在席又は離席のいずれかを示す情報とが含まれている。また、ＲＯＭ３２には、利用者装置１と利用者とを一対一に対応させて関連付けたデータを記憶している。これにより、利用者装置１を識別できれば利用者を特定でき、逆に利用者と識別できれば利用者装置１を特定することができる。
【００３７】
離在席データベース３５は、図６に示すように、離在席情報をテーブル形式で記憶しており、そのテーブルは、利用者装置欄と、利用者欄と、離在席情報欄とを有し、例えば、利用者装置欄が「利用者装置１ａ」であり利用者欄が「Ａさん」であり離在席情報欄が「在席中」であるレコードを記憶している。このレコードは、利用者装置１ａの利用者Ａさんは在席中であることを表している。また、次に例として、利用者装置欄が「利用者装置１ｂ」であり利用者欄が「Ｂさん」であり離在席情報欄が「離席中」であるレコードを記憶している。このレコードは、利用者装置１ｂの利用者Ｂさんは離席中であることを示している。
【００３８】
ネットワーク４は、利用者装置１と携帯機充電装置２と離在席管理装置３とを通信可能にするものであり、無線部と有線部４ｂとを有している。有線部４ｂは、離在席管理装置３の通信部３４に接続されており、有線を無線に変換する無線有線変換部４ａを有している。無線有線変換部４ａと通信部１４とが、無線有線変換部４ａと通信部２４とが、または、通信部１４と通信部２４とが無線通信することにより、ネットワーク４の無線部が構成される。なお、通信部１４、通信部２４、通信部３４との間のネットワーク４は、通信可能であれば無線有線は問わなず、その通信プロトコルもTCP/IPに限定されるものではない。例えば、Bluetooth（登録商標）、ZigBee（登録商標）等を用いても良い。
【００３９】
（離在席管理システム１０の動作）
次に、携帯機充電装置２の動作について以下説明する。携帯機充電装置２は、電源が投入されると、ＣＰＵ２１は、各初期動作処理を実行した後に、携帯機充電装置処理ルーチンをＲＯＭ２２から読み出して実行する。
【００４０】
図７に示すように、携帯機充電装置処理ルーチンが実行されると、まずＣＰＵ２１は、関連付けデータ記憶部２５から、関連付けされた利用者装置１の所在を示すデータ及び離在席管理装置３の所在を示すデータを読み出す（Ａ１）。次にＣＰＵ２１は、携帯機１００が接続部２７に接続されているか否かを接続検出部２６に検出させる（Ａ２）。次にＣＰＵ２１は、接続検出部２６の検出結果をＲＡＭ２３に記憶させる。次にＣＰＵ２１は、後述する操作手段施錠解錠要求処理ルーチンを実行する（Ａ４）。操作手段施錠解錠要求処理ルーチンの実行が終了すると、ＣＰＵ２１は後述する離在席情報入力処理ルーチンを実行する（Ａ５）。離在席情報入力処理ルーチンの実行が終了すると、ＣＰＵ２１は後述する電源オフ時離席情報入力処理ルーチンを実行する（Ａ６）。電源オフ時離席情報入力処理ルーチンの実行が終了すると、ＣＰＵ２１はＡ２の処理の実行に戻る。
【００４１】
次に、図８に示す操作手段施錠解錠要求処理ルーチンについて説明する。この操作手段施錠解錠要求処理ルーチンは、上記の操作手段施錠解錠要求処理ルーチンの実行において呼び出されるルーチンであり、実行されると携帯機充電装置２が操作手段施錠解錠要求手段、制御手段として機能し、実行が終了するとＣＰＵ２１は操作手段施錠解錠要求処理ルーチンの実行に戻る。
【００４２】
図８に示すように、操作手段施錠解錠要求処理ルーチンが実行されると、まずＣＰＵ２１は、ＲＡＭ２３に記憶されている接続検出部２６の検出結果を参照し、携帯機１００が接続部２７に接続されていることを検出結果が表しているか否かを判定する（Ｂ１）。携帯機１００が接続部２７に接続されていることを検出結果が示していると判定された場合には（Ｂ１：ＹＥＳ）、ＣＰＵ２１は、通信部２４を介して関連付けされた利用者装置１に対して解錠指示信号を送信し（Ｂ２）、操作手段施錠解錠要求処理ルーチンの実行を終了する。
【００４３】
一方、Ｂ１の処理において、携帯機１００が接続部２７に接続されていることを検出結果が示していないと判定された場合には（Ｂ１：ＮＯ）、ＣＰＵ２１は、通信部２４を介して関連付けされた利用者装置１に対して施錠指示信号を送信し（Ｂ３）、操作手段施錠解錠要求処理ルーチンの実行を終了する。
【００４４】
次に、図９に示す離在席情報入力処理ルーチンについて説明する。この離在席情報入力処理ルーチンは、上記の操作手段施錠解錠要求処理ルーチンの実行において呼び出されるルーチンであり、それが実行されると携帯機充電装置２が制御手段として機能し、その実行が終了するとＣＰＵ２１は操作手段施錠解錠要求処理ルーチンの実行に戻る。なお、この離在席情報入力処理ルーチンが実行され、かつ、後述する利用者装置処理が実行されることにより、離在席情報入力手段が実現される。
【００４５】
図９に示すように、離在席情報入力処理ルーチンが実行されると、まずＣＰＵ２１は、ＲＡＭ２３に記憶されている接続検出部２６の検出結果を参照し、携帯機１００が接続部２７に接続されていることを検出結果が示しているか否かを判定する（Ｃ１）。携帯機１００が接続部２７に接続されていることを検出結果が示していると判定された場合には（Ｃ１：ＹＥＳ）、ＣＰＵ２１は、通信部２４を介して関連付けされた利用者装置１に対して離在席情報（在席）送信指示信号を出力し（Ｃ２）、離在席情報入力処理ルーチンの実行を終了する。
【００４６】
一方、Ｃ１の処理において、携帯機１００が接続部２７に接続されていることを検出結果が示していないと判定された場合には（Ｃ１：ＮＯ）、ＣＰＵ２１は、通信部２４を介して関連付けされた利用者装置１に対して離在席情報（離席）送信指示信号を出力し（Ｃ３）、離在席情報入力処理ルーチンの実行を終了する。
【００４７】
離在席情報（在席）送信指示信号は、在席状態を示す離在席情報信号を離在席管理装置３に入力することを指令する信号である。また、離在席情報（離席）送信指示信号は、離席状態を示す離在席情報信号を離在席管理装置３に入力することを指令する信号である。
【００４８】
次に、図１０に示す電源オフ時離席情報入力処理ルーチンについて説明する。この電源オフ時離席情報入力処理ルーチンは、上記の操作手段施錠解錠要求処理ルーチンの実行において呼び出されるルーチンであり、それが実行されると携帯機充電装置２が電源オフ時離席情報入力手段として機能し、その実行が終了するとＣＰＵ２１は操作手段施錠解錠要求処理ルーチンの実行に戻る。
【００４９】
図１０に示すように、電源オフ時離席情報入力処理ルーチンが実行されると、まずＣＰＵ２１は、ＲＡＭ２３に記憶されている接続検出部２６の検出結果を参照し、携帯機１００が接続部２７に接続されていることを検出結果が示しているか否かを判定する（Ｄ１）。携帯機１００が接続部２７に接続されていることを検出結果が示していないと判定された場合には（Ｄ１：ＮＯ）、電源オフ時離席情報入力処理ルーチンの実行を終了する。
【００５０】
一方、携帯機１００が接続部２７に接続されていることを検出結果が示していると判定された場合には（Ｄ１：ＹＥＳ）、ＣＰＵ２１は、通信部２４を介して電源オフサーチ信号を関連付けられた利用者装置１に対して出力する（Ｄ２）。電源オフサーチ信号は、利用者装置１が電源オフであるか否かを探る信号であり、電源オフサーチ信号を受信した利用者装置１が返信することを前提として、返信の有無に基づいて電源オフか否かを判定するために用いる信号である。次に、ＣＰＵ２１は、電源オフサーチ信号に対する返信の有無に基づいて電源オフであるか否かを判定する（Ｄ３）。返信が在ることにより、関連付けられた利用者装置１が電源オフでないと判定された場合には（Ｄ３：ＮＯ）、電源オフ時離席情報入力処理ルーチンの実行を終了する。
【００５１】
一方、Ｄ３の処理において、返信が無いことにより、関連付けられた利用者装置１が電源オフであると判定された場合には（Ｄ３：ＹＥＳ）、ＣＰＵ２１は、離席状態を示す離在席情報（離席）信号を離在席管理装置３に向けて出力し（Ｄ４）、電源オフ時離席情報入力処理ルーチンの実行を終了する。
【００５２】
以上、携帯機充電装置２の動作について説明した。次に、利用者装置１の動作について以下説明する。利用者装置１のＣＰＵ１１は、パーソナルコンピュータとして機能するためのメイン処理の実行と並列に、利用者装置処理ルーチンを実行する。
【００５３】
図１１に示すように、利用者端末処理ルーチンが実行されると、まずＣＰＵ１１は、施錠指示信号を受信したか否かを判定する（Ｅ１）。施錠指示信号を受信したと判定された場合には（Ｅ１：ＹＥＳ）、ＣＰＵ１１は、操作手段１８が施錠中であることを示す画像５０をディスプレイ１７に表示させ（Ｅ２）、操作手段１８を無効化し（Ｅ３）、Ｅ１の処理の実行に戻る。
【００５４】
一方、Ｅ１の処理において、施錠指示信号を受信していないと判定された場合には（Ｅ１：ＮＯ）、ＣＰＵ１１は、解錠指示信号を受信したか否かを判定する（Ｅ４）。解錠指示信号を受信したと判定された場合には（Ｅ４：ＹＥＳ）、ＣＰＵ１１は、操作手段１８が解錠中であることを示す画像５２をディスプレイ１７に表示させ（Ｅ５）、操作手段１８を有効化し（Ｅ６）、Ｅ１の処理の実行に戻る。
【００５５】
一方、Ｅ４の処理において、解錠指示信号を受信していないと判定された場合には（Ｅ４：ＮＯ）、ＣＰＵ１１は、離在席情報送信指示信号を受信したか否かを判定する（Ｅ７）。離在席情報送信指示信号を受信したと判定された場合には（Ｅ７：ＹＥＳ）、ＣＰＵ１１は、離在席情報送信指示信号に対応した離在席情報信号を離在席管理装置３に出力し（Ｅ８）、Ｅ１の処理の実行に戻る。
【００５６】
ここで、離在席情報送信指示信号に対応した離在席情報信号とは、例えば、受信した信号が離在席情報（在席）送信であれば、在席状態を示す離在席情報信号であり、受信した信号が離在席情報（離席）送信であれば、離席状態を示す離在席情報信号である。
【００５７】
一方、Ｅ７の処理において、離在席情報送信指示信号を受信していないと判定された場合には（Ｅ７：ＮＯ）、ＣＰＵ１１は、電源オフサーチ信号を受信したか否かを判定する（Ｅ９）。電源オフサーチ信号を受信したと判定された場合には（Ｅ９：ＹＥＳ）、ＣＰＵ１１は、受信した電源オフサーチ信号の返信に相当する返信信号を通信部１４を介して携帯機充電装置２へ出力し（Ｅ１０）、Ｅ１の処理の実行に戻る。
【００５８】
一方、Ｅ９の処理において、電源オフサーチ信号を受信していないと判定された場合には（Ｅ９：ＮＯ）、ＣＰＵ１１は、利用者の離在席情報の提示を要求する離在席情報要求信号を離在席管理装置３へ出力する（Ｅ１１）。次に、ＣＰＵ１１は、離在席情報を含む返信があるまで待機し（Ｅ１２：ＮＯ）、離在席情報を含む返信があれば（Ｅ１２：ＹＥＳ）、その返信に含まれる離在席情報をディスプレイ１７に表示し（Ｅ１３）、Ｅ１の処理の実行に戻る。
【００５９】
以上、利用者装置１の動作について説明した。次に、離在席管理装置３の動作について以下説明する。離在席管理装置３は、電源が投入されると、ＣＰＵ３１は、各初期動作処理を実行した後に、離在席管理装置処理ルーチンを実行する。
【００６０】
図１２に示すように、離在席管理装置処理ルーチンが実行されると、まずＣＰＵ３１は、離在席情報信号を受信したか否かを判定する（Ｆ１）。離在席情報信号を受信したと判定された場合には（Ｆ１：ＹＥＳ）、ＣＰＵ３１は、離在席データベース３５に記憶されている利用者の離在席情報を更新し（Ｆ２）、Ｆ１の処理の実行に戻る。
【００６１】
一方、Ｆ１の処理において、離在席情報信号を受信していないと判定された場合には（Ｆ１：ＮＯ）、離在席情報要求信号を受信したか否かを判定する（Ｆ３）。離在席情報信号を受信していないと判定された場合には（Ｆ３：ＮＯ）、ＣＰＵ３１は、Ｆ１の処理の実行に戻る。
【００６２】
一方、離在席情報信号を受信したと判定された場合には（Ｆ３：ＹＥＳ）、ＣＰＵ３１は、要求されている利用者に関する離在席情報を離在席データベース３５から検索し（Ｆ４）、その検索結果を要求した利用者装置１へ返信し（Ｆ５）、Ｆ１の処理の実行に戻る。
【００６３】
以上、利用者装置１、携帯機充電装置２および離在席管理装置３の各動作について説明したが、各動作がどのように関わり合って本発明の作用効果を奏するかについて、各装置の動作を示すタイミングチャートを図３に示して説明する。
【００６４】
図３の（１）に示すように、まず携帯機充電装置２が携帯機１００との接続を検出すると、関連付けられた利用者装置１へ解錠指示および離在席情報（在席）送信指示を行う（Ｓ１）。解錠指示された利用者装置１は、操作手段１８の解錠、すなわち操作手段１８の有効化を行う（Ｓ２）。また、離在席情報（在席）送信指示を受信した利用者装置１は、在席状態を示す離在席情報（在席）を離在席管理装置３へ送信する。離在席情報（在席）を受信した離在席管理装置３は、離在席データベース３５を更新する（Ｓ３）。一方、図３の（２）に示すように、まず携帯機充電装置２は携帯機１００との接続が検出されないと、関連付けられた利用者装置１へ施錠指示および離在席情報（離席）送信指示を行う（Ｓ４）。施錠指示された利用者装置１は、操作手段１８の施錠、すなわち操作手段１８の無効化を行う（Ｓ５）。また、離在席情報（離席）送信指示を受信した利用者装置１は、離席状態を示す離在席情報（離席）を離在席管理装置３へ送信する。離在席情報（離席）を受信した離在席管理装置３は、離在席データベース３５を更新する（Ｓ６）。
【００６５】
このように、利用者が利用者装置１を操作するためには、その利用者装置１に関連付けられた携帯機充電装置２に携帯機１００を接続して操作手段１８を解錠する必要があり、離席のためには、携帯機１００と携帯機充電装置２との接続を外す必要があり、携帯機１００と携帯機充電装置２との接続の有無に応じて利用者の離在席情報が離在席管理装置３に適切に入力されるため、利用者に関する離在席情報の入力し忘れにより生ずる離在席情報の不備を回避し、離在席管理を適切に行うことができる。
【００６６】
さらに、携帯機１００と携帯機充電装置２との接続を外すことにより操作手段１８が施錠されるから、離席中の利用者装置１が不意に操作されることを防止でき、利用者装置１のセキュリティーを向上させることができる。
【００６７】
図３の（３）に示すように、携帯機充電装置２は、関連付けられた利用者装置１の電源オフをサーチし（Ｓ７）、そのレスポンスが無ければ電源オフであることを検出し、かつ、携帯機１００との接続が検出されなければ、離席状態を示す離在席情報（離席）を離在席管理装置３へ送信する（Ｓ８）。離在席情報（離席）を受信した離在席管理装置３は、離在席データベース３５を更新する（Ｓ９）。
【００６８】
このように、利用者装置１の電源がオフにされ、携帯機１００と携帯機充電装置２との接続が外されている場合において利用者の離在席情報が離在席管理装置３に適切に入力されない状況、例えば、携帯機１００と携帯機充電装置２とを接続したまま、利用者装置１の電源をオフすることにより離在席管理装置３へ離席状態であることを表す離在席情報が入力されなかったことにより生ずる離在席管理の不備を回避し、離在席管理を確実に行うことができる。
【００６９】
図３の（４）に示すように、携帯機充電装置２が利用者の離在席情報を離在席管理装置３に要求すると（Ｓ１０）、離在席管理装置３は、利用者の離在席情報を離在席データベース３５から検索し、検索した離在席情報を返信する（Ｓ１１）。返信を受けた利用者装置１は、ディスプレイ１７に利用者の離在席情報を表示する（Ｓ１２）。
【００７０】
このように、利用者装置１の利用者に関する離在席情報が利用者装置１に表示されるため、携帯機１００を携帯機充電装置２に接続させ又は非接続にしたことにより、離在席情報が正しく維持されているかを確認することができるため、離在席情報の不備を回避し、離在席管理をより適切に行うことができる。
【００７１】
（本実施形態の概要）
以上のように、本発明の一構成に係る離在席管理システムは、施錠指示信号を受信して操作手段１８を施錠し、解錠指示信号を受信して操作手段１８を解錠し、操作手段１８の施錠又は解錠それぞれに対応して利用者が操作不可能に又は操作可能になる利用者装置１と、利用者装置１の利用者に関する離在席情報を入力させて利用者の離在席を管理する離在席管理装置３と、利用者装置１毎に設けられ、携帯機１００が接続され、接続されている携帯機１００を充電する携帯機充電装置２と、携帯機充電装置２と利用者装置１との関連付けを予め記憶する関連付けデータ記憶手段（関連付けデータ記憶部２５等）と、携帯機１００と携帯機充電装置２との接続を検出する接続検出手段（接続検出部２６等）と、携帯機充電装置２と携帯機１００との接続が検出される場合は、ネットワーク４を介して、携帯機充電装置２に関連付けられた利用者装置１へ解錠指示信号を送信すると共に、携帯機充電装置２と携帯機１００との接続が検出されない場合は、ネットワーク４を介して、携帯機充電装置２に関連付けられた利用者装置１へ施錠指示信号を送信する操作手段施錠解錠要求手段（携帯機充電装置２等）と、携帯機充電装置２と携帯機１００との接続が検出される場合は、ネットワーク４を介して、携帯機充電装置２に関連付けられた利用者装置１の利用者が在席状態であることを示す離在席情報を離在席管理装置３へ入力すると共に、携帯機充電装置２と携帯機１００との接続が検出されない場合は、ネットワーク４を介して、携帯機充電装置２に関連付けられた利用者装置１の利用者が離席状態であることを示す離在席情報を離在席管理装置３へ入力する離在席情報入力手段（携帯機充電装置２、利用者装置１等）と、を有する構成である。
【００７２】
このような構成によれば、利用者が利用者装置１を操作するためには、その利用者装置１に関連付けられた携帯機充電装置２に携帯機１００を接続して操作手段１８を解錠する必要があり、離席のためには、携帯機１００と携帯機充電装置２との接続を外す必要があり、携帯機１００と携帯機充電装置２との接続の有無に応じて利用者の離在席情報が離在席管理装置３に適切に入力されるため、利用者に関する離在席情報の入力し忘れにより生ずる離在席情報の不備を回避し、離在席管理を適切に行うことができる。
【００７３】
さらに、携帯機１００と携帯機充電装置２との接続を外すことにより操作手段１８が施錠されるから、離席中の利用者装置１が不意に操作されることを防止でき、利用者装置１のセキュリティーを向上させることができる
【００７４】
特に、利用者装置１の電源オフを検出する電源オフ検出手段（通信部２４等）と、利用者装置１の電源オフが検出され、かつ、利用者装置１に関連付けられた携帯機充電装置２と携帯機１００との接続が検出されない場合は、利用者装置１の利用者が離席状態であることを表す離在席情報を離在席管理装置３へネットワーク４を介して入力する電源オフ時離席情報入力手段（携帯機充電装置２、通信部２４等）とを有しており、利用者装置１の利用者に関する離在席情報が利用者装置１に表示されるため、携帯機１００を携帯機充電装置２に接続させ又は非接続にしたことにより、離在席情報が正しく維持されているかを確認することができるため、離在席情報の不備を回避し、離在席管理をより適切に行うことができる。
【００７５】
また、利用者装置１は、利用者装置１の利用者に関する離在席情報を表示するように構成されているから、利用者装置１の利用者に関する離在席情報が利用者装置１に表示されるため、携帯機１００を携帯機充電装置２に接続させ又は非接続にしたことにより、離在席情報が正しく維持されているかを確認することができるため、離在席情報の不備を回避し、離在席管理をより適切に行うことができる。
【００７６】
特に、本実施形態の携帯機充電装置２は、施錠指示信号を受信して操作手段１８を施錠し、解錠指示信号を受信して操作手段１８を解錠し、操作手段の施錠又は解錠それぞれに対応して利用者が操作不可能に又は操作可能になる利用者装置１と、利用者装置１の利用者に関する離在席情報を入力させて利用者の離在席状況を管理する離在席管理装置３と、利用者装置１と離在席管理装置３とを通信可能に接続する通信手段（ネットワーク４、通信部１４等）とを有する離在席管理システム１０において、携帯機１００が接続され、接続されている携帯機１００を充電する携帯機充電装置２であって、携帯機１００の接続を検出する接続検出手段（接続検出部２６等）と、携帯機充電装置２に関連付けられた利用者装置１である関連装置を示すデータを予め記憶する関連付けデータ記憶手段（関連付けデータ記憶部２５等）と、関連装置と通信する関連通信手段（通信部１４、通信部２４等）と、携帯機１００の接続が検出される場合は、解錠指示信号を関連装置へ送信すると共に、関連装置の利用者が在席状態であることを表す離在席情報を関連装置から離在席管理装置３へ入力させ、携帯機１００の接続が検出されない場合は、施錠指示信号を関連装置へ送信すると共に、関連装置の利用者が離席状態であることを表す離在席情報を関連装置から離在席管理装置３へ入力させる制御手段（ＣＰＵ２１等）と、を有する構成である。
【００７７】
このような構成によれば、利用者に関する離在席情報の入力し忘れにより生ずる離在席情報の不備を回避して離在席管理を適切に行うことができ、離席中の利用者装置１が不意に操作されることを防止して利用者装置１のセキュリティーを向上させることができる。
【００７８】
さらに、利用者装置１と離在席管理装置３とを有する既存の離在席管理システムにおいて、携帯機充電装置２の設置および利用者装置１にプログラムをインストールするだけで本発明を適用できるから、一般に多大なコストを要する離在席管理装置３の設計変更を回避して適用コストを抑えることができる。
【００７９】
また、関連装置の電源オフを検出する電源オフ検出手段（通信部２４等）と、離在席管理装置３と通信する管理通信手段（通信部２４、ネットワーク４等）とを有し、関連装置の電源オフが検出され、かつ、携帯機１００の接続が検出されない場合は、関連装置の利用者が離席状態であることを表す離在席情報を離在席管理装置３へ管理通信手段（通信部２４、ネットワーク４等）を介して入力するように構成されているから、利用者の離在席情報が離在席管理装置に適切に入力されない状況を防止して離在席管理を確実に行うことができる。
【００８０】
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００８１】
例えば、離在席管理システム１０は、携帯機充電装置２の関連付けデータ記憶部２５に、利用者装置１と携帯機充電装置２との関連付けデータを記憶させているが、これに限定されるものではなく、関連付けデータ記憶手段を離在席管理装置３に設けて、離在席管理装置３で集中管理するように構成してもよい。
【図面の簡単な説明】
【００８２】
【図１】本発明の一構成に係る離在席管理システム１０の構成および動作を示す図。
【図２】離在席管理システム１０の動作を示す図。
【図３】離在席管理システム１０が有する各装置の動作を示すタイミングチャート。
【図４】離在席管理システム１０の電気的構成を示すブロック図。
【図５】携帯機充電装置２と利用者装置１との関連付けデータを示す図。
【図６】離在席管理装置３の離在席データベース３５を示す図。
【図７】携帯機充電装置２が実行する携帯機充電装置ルーチンを示すフローチャート。
【図８】携帯機充電装置２が実行する操作手段施錠解錠要求処理ルーチンを示すフローチャート。
【図９】携帯機充電装置２が実行する離在席情報入力処理ルーチンを示すフローチャート。
【図１０】携帯機充電装置２が実行する電源オフ時離席情報入力処理ルーチンを示すフローチャート。
【図１１】利用者装置１が実行する利用者装置処理ルーチンを示すフローチャート。
【図１２】離在席管理装置３が実行する離在席管理装置処理ルーチンを示すフローチャート。
【符号の説明】
【００８３】
１‥‥‥利用者装置
２‥‥‥携帯機充電装置
３‥‥‥離在席管理装置
４‥‥‥ネットワーク
１４‥‥通信部
１７‥‥ディスプレイ
１８‥‥操作手段
２４‥‥通信部
２５‥‥関連付けデータ記憶部
２６‥‥接続検出部
２７‥‥接続部
３５‥‥離在席データベース
１００‥携帯機
【図１】
2010026711.tif 000003
【図２】
2010026711.tif 000004
【図３】
2010026711.tif 000005
【図４】
2010026711.tif 000006
【図５】
2010026711.tif 000007
【図６】
2010026711.tif 000008
【図７】
2010026711.tif 000009
【図８】
2010026711.tif 000010
【図９】
2010026711.tif 000011
【図１０】
2010026711.tif 000012
【図１１】
2010026711.tif 000013
【図１２】
2010026711.tif 000014